(57)【要約】  様々な実施形態において、ディスプレイ装置は、ディスプレイ素子のアレイの全体に光を配分するために、干渉変調器のアレイのようなディスプレイ素子のアレイの前方に配置された光導波路を備える前部照明装置前照明デバイスを含む。光導波路は、光源からの均一な照射をディスプレイ素子のアレイまで伝達する転向フィルムを含むことができる。多くの携帯ディスプレイ用途のために、光導波路は、ディスプレイ素子の製造に用いられる基板を備える。また、ディスプレイ装置は、付加的な層を備えても良い。例えば、光導波路は、拡散体層及び／又は光学絶縁層を含み、ディスプレイ装置の光学特徴を更に強化する。
2011508898.tif 000002
【特許請求の範囲】
【請求項１】
内部において、光を導波するように構成される基板と、
前記基板で支持されて支えられていると共に前記基板の後方にある複数のディスプレイ素子と、
前記基板の前方にあると共に、前記基板内において導波された光を前記複数のディスプレイ素子の方へ向かせるように構成される転向フィルムと、
前記転向フィルムの前方にある複数の散乱特徴体と、
前記転向フィルム及び前記基板内において、光が導波されるように、前記転向フィルムと複数の散乱特徴体との間に配置されたクラッドと、
を備える、ディスプレイ装置。
【請求項２】
前記基板がガラス又はプラスチックを備える、請求項１に記載のディスプレイ装置。
【請求項３】
前記複数のディスプレイ素子がマイクロ電気機械システム（ＭＥＭＳ）構造を備える、請求項１に記載のディスプレイ装置。
【請求項４】
前記ＭＥＭＳ構造が第１反射面及び第２反射面を備え、前記第１反射面及び前記第２反射面のうち少なくとも一方が前記第１反射面及び前記第２反射面のうちの他方に対して移動可能である、請求項３に記載のディスプレイ装置。
【請求項５】
前記複数のディスプレイ素子が干渉変調器を備える、請求項４に記載のディスプレイ装置。
【請求項６】
前記基板と前記ディスプレイ素子との間に光学絶縁層を更に備えることを特徴とする、請求項１に記載のディスプレイ装置。
【請求項７】
前記光学絶縁層が、前記基板より低い屈折率を有する、請求項６に記載のディスプレイ装置。
【請求項８】
前記光学絶縁層が二酸化ケイ素又はフッ素化二酸化ケイ素を備える、請求項６に記載のディスプレイ装置。
【請求項９】
前記転向フィルムがホログラフィック層を備える、請求項１に記載のディスプレイ装置。
【請求項１０】
前記ホログラフィック層がプラスチックキャリア上に配置されている、請求項９に記載のディスプレイ装置。
【請求項１１】
前記転向フィルムがプリズム状のフィルムを備える、請求項１に記載のディスプレイ装置。
【請求項１２】
前記プリズム状のフィルムがプラスチックキャリア上に配置されている、請求項１１に記載のディスプレイ装置。
【請求項１３】
前記転向フィルムが前記基板に直接接しているか又は接着剤で前記基板に直接付着されている請求項１に記載のディスプレイ装置。
【請求項１４】
前記転向フィルムが、プラスチックキャリア上に配置されており、前記プラスチックキャリアが前記基板に直接接しているか又は接着剤で前記基板に直接付着されている、請求項１に記載のディスプレイ装置。
【請求項１５】
前記散乱特徴体が前記クラッドに含まれる、請求項１に記載のディスプレイ装置。
【請求項１６】
前記クラッドが前記散乱特徴体を備える散乱体層と前記転向フィルムとの間に配置されている、請求項１に記載のディスプレイ装置。
【請求項１７】
前記クラッドが十分に低い屈折率を有する低屈折率材料を備え、前記光が前記転向フィルム及び前記基板内において、導波される、請求項１に記載のディスプレイ装置。
【請求項１８】
前記低屈折率材料が、前記転向フィルムより低い屈折率を有する、請求項１７に記載のディスプレイ装置。
【請求項１９】
前記低屈折率材料が、前記基板より低い屈折率を有する、請求項１７に記載のディスプレイ装置。
【請求項２０】
前記低屈折率材料が、１．４８未満の屈折率を有する、請求項１７に記載のディスプレイ装置。
【請求項２１】
前記散乱特徴体が前記低屈折率材料に配置されている拡散微粒子を備える、請求項１７に記載のディスプレイ装置。
【請求項２２】
前記低屈折率材料が接着剤を備える、請求項２１に記載のディスプレイ装置。
【請求項２３】
前記散乱特徴体が拡散体層に配置されている、請求項１に記載のディスプレイ装置。
【請求項２４】
前記拡散体層が前記転向フィルムに直接接しているか又は接着剤で前記転向フィルムに直接付着されている、請求項２３に記載のディスプレイ装置。
【請求項２５】
前記転向フィルムがプラスチックキャリア上に配置されており、前記プラスチックキャリアが前記拡散体層に直接接しているか又は接着剤で前記基板に直接付着されている請求項２３に記載のディスプレイ装置。
【請求項２６】
前記転向フィルム及び前記拡散体層が複数のプラスチックキャリア上に配置されており、前記複数のプラスチックキャリアが互いに直接に接しているか又は接着剤で互いに直接付着されている、請求項２３に記載のディスプレイ装置。
【請求項２７】
前記拡散体層がプラスチックキャリア上に配置されており、前記プラスチックキャリアが前記転向フィルムに直接接しているか又は接着剤で前記転向フィルムに直接付着されている、請求項２３に記載のディスプレイ装置。
【請求項２８】
前記拡散体層が、前記ホログラフィック層より低い屈折率を有する、請求項９に記載のディスプレイ装置。
【請求項２９】
前記拡散体層がゲルを備える、請求項１に記載のディスプレイ装置。
【請求項３０】
反射防止コーティングを更に備え、拡散体層の前方の前記反射防止コーティングが前記散乱特徴体を備える、請求項１に記載のディスプレイ装置。
【請求項３１】
少なくとも一つの前記複数のディスプレイ素子と電気的に繋がっていると共に画像データを処理するように構成されているプロセッサと、
前記プロセッサと電気的に繋がっているメモリデバイスと、
を更に備える、請求項１に記載のディスプレイ装置。
【請求項３２】
前記少なくとも一つの前記複数のディスプレイ素子に少なくとも一つの信号を送信するように構成されるドライバ回路を更に備える、請求項３１に記載のディスプレイ装置。
【請求項３３】
前記ドライバ回路に前記画像データの少なくとも一部を送信するように構成されるコントローラを更に備える、請求項３２に記載のディスプレイ装置。
【請求項３４】
前記画像データを前記プロセッサに送信するように構成される画像ソースモジュールを更に備える、請求項３１に記載のディスプレイ装置。
【請求項３５】
前記画像ソースモジュールが、受信機、送受信機及び送信機の少なくとも一つを備える、請求項３４に記載のディスプレイ装置。
【請求項３６】
入力データを受信して、前記プロセッサに前記入力データを通信するように構成される入力装置を更に備える、請求項３１に記載のディスプレイ装置。
【請求項３７】
画像を表示するための表示手段と、
前記表示手段を支持すると共に、前記表示手段の前方に配置されており、且つ内部において、光を導波するように構成される支持手段と、
前記支持手段内において導波された光を、前記表示手段の方に向かせると共に前記支持手段の前方に位置する転向手段と、
前記転向手段の前方に配置されている光を散乱させる散乱手段と、
前記転向手段からの光を前記転向手段に再方向付けし、前記光を前記転向手段及び前記支持手段内で導波されるようにすると共に、前記転向手段と前記光散乱手段との間に配置される光の方向を変える光リダイレクト手段と、
を備える、ディスプレイ装置。
【請求項３８】
前記表示手段が複数のディスプレイ素子を備える、請求項３７に記載のディスプレイ装置。
【請求項３９】
前記複数のディスプレイ素子が干渉変調器を備える、請求項３８に記載のディスプレイ装置。
【請求項４０】
前記支持手段が基板を備える、請求項３７に記載のディスプレイ装置。
【請求項４１】
前記光散乱手段が散乱特性体を備える、請求項３７に記載のディスプレイ装置。
【請求項４２】
前記転向手段がホログラフィック層又はプリズム状の層を備える、請求項３７に記載のディスプレイ装置。
【請求項４３】
前記光リダイレクト手段がクラッドを備える、請求項３７に記載のディスプレイ装置。
【請求項４４】
後方に複数のディスプレイ素子を有すると共に内部において光を導波するように構成された基板を形成する段階と、
前記基板の前方に転向フィルムを配置させる段階であって、前記転向フィルムが前記基板及び該転向フィルム内において、導波された光を前記複数のディスプレイ素子へ向かせるように構成する段階と、
前記転向フィルムの前方に複数の散乱特徴体を形成する段階と、
光が前記転向フィルムと前記基板とに導波されるように、前記転向フィルムと前記散乱特徴体との間にクラッドを配置する段階と、
を備える、ディスプレイ装置の製造方法。
【発明の詳細な説明】
【技術分野】
【０００１】
本発明はマイクロ電気機械システム（ＭＥＭＳ）に関する。
【背景技術】
【０００２】
マイクロ電気機械システム（ＭＥＭＳ）は、マイクロ機械素子、アクチュエータ及び電子機器を含む。マイクロ機械素子は、基板の部分をエッチングして除去し及び／又は材料層を堆積させ、又は、層を追加して電気及び電気機械装置を形成する、堆積、エッチング及び／又は他のマイクロ機械加工プロセス（ｍｉｃｒｏｍａｃｈｉｎｉｎｇ ｐｒｏｃｅｓｓｅｓ）を用いて形成され得る。一種類のＭＥＭＳ装置は、干渉変調器（ｉｎｔｅｒｆｅｒｏｍｅｔｒｉｃ ｍｏｄｕｌａｔｏｒ）と呼ばれる。ここで用いられる干渉変調器又は干渉光変調器（ｉｎｔｅｒｆｅｒｏｍｅｔｒｉｃ ｌｉｇｈｔ ｍｏｄｕｌａｔｏｒ）という用語は、干渉の原則を用いて、光を選択的に吸収し及び／又は選択的に反射する装置を指す。ある実施形態では、干渉変調器は一対の導電プレートを備え得る。一対の導電プレートの一方又は両方は適当な電気信号の適用に応じて、全部又は一部において、透明型及び／又は反射型てもよく、且つ相対運動ができる。特定の実施形態では、一対の導電プレートの一方は基板に置かれる静止層（ｓｔａｔｉｏｎａｒｙ ｌａｙｅｒ）を備えることができる。一対の導電プレートの他方はエアギャップによって、静止層から切り離される金属層（ｍｅｔａｌｌｉｃ ｍｅｍｂｒａｎｅ）を備えることができる。更に詳細に本願明細書において、記載されているように、別のプレートに対して一方のプレートの位置は干渉変調器に入射する光の干渉を変えることができる。この種の装置は広い用途を有している。
【発明の概要】
【発明が解決しようとする課題】
【０００３】
それらの特徴が既存の製品を改善して、まだ開発されていない新製品を製作する際に利用できるように、この種の装置の特徴を利用し及び／又は修正することは従来技術において、有益である。
【課題を解決するための手段】
【０００４】
本願明細書において、記載されている様々な実施形態は、基板（ｓｕｂｓｔｒａｔｅ）、複数のディスプレイ素子（ｄｉｓｐｌａｙ ｅｌｅｍｅｎｔｓ）、光転向フィルム（ｔｕｒｎｉｎｇ ｆｉｌｍ）及びクラッド（ｃｌａｄｄｉｎｇ）を含むディスプレイ装置を備える。基板は、該基板の内部に光を導波するように構成される。複数のディスプレイ素子は、基板により支持されると共に基板の後方に位置する。光転向フィルムは、基板の前方に位置し、基板に導波される光を複数のディスプレイ素子の方へ向かせるように構成される。複数の散乱特徴体（ｓｃａｔｔｅｒｉｎｇ ｆｅａｔｕｒｅｓ）は、光転向フィルムの前方にある。光が、光転向フィルム及び基板内において導波されるように、クラッドは光転向フィルムと散乱特徴との間に配置されている。
【０００５】
本願明細書において、記載されている特定の実施形態は、画像を表示するための表示手段と該表示手段を支持するための支持手段を含むディスプレイ装置を備える。支持手段は、表示手段の前方に配置されると共に内部に光を導波するように構成される。ディスプレイ装置は、支持手段内で導波される光を表示手段の方へ向かせるための光転向手段を更に備える。光転向手段は、支持手段の前方にある。更に、ディスプレイ装置は、光を散乱させるための手段を更に備えており、その手段は光転向手段の前方に配置する。ディスプレイ装置は、光転向手段及び支持手段内に光が導波されるように光転向手段からの光を光転向手段に戻るように光の方向を変える手段を更に備える。光の方向を変える手段は、光転向手段と光の散乱手段との間にある。
【０００６】
本願明細書において、記載されている特定の実施形態は、その後方に複数のディスプレイ素子を有する基板を提供する段階を備えるディスプレイ装置の製造方法を備える。基板は、光をその内部において導波するように構成される。この方法において、光転向フィルムは、基板の前方に配置される。光転向フィルムは、基板において導波される光を複数のディスプレイ素子の方へ向かせるように構成される。複数の散乱特徴体は、光転向フィルムの前方に形成される。光が光転向フィルム及び基板に導波されるように、クラッドは光転向フィルムと散乱特徴体との間に配置される。
【図面の簡単な説明】
【０００７】
【図１】第１の干渉変調器の移動可能な反射層が緩和位置にあると共に、第２の干渉変調器の移動可能な反射層が作動位置において、ある干渉変調器ディスプレイの一実施形態の一部を表す等角図である。
【図２】３×３干渉変調器ディスプレイを組み込んでいる電子装置の一実施形態を示すシステムブロック図である。
【図３】図１の干渉変調器の１つの例示的な実施形態における可動ミラーの位置に対する印加電圧の図である。
【図４】干渉変調器ディスプレイを駆動するために用いることができる一組の横列電圧及び縦列電圧の図である。
【図５Ａ】図２の３×３干渉変調器ディスプレイのディスプレイデータで１つの一般的なフレームを例示する図である。
【図５Ｂ】図５Ａでフレームを記述するために用いることができる横列信号及び縦列信号のための１つの一般的なタイミング図を例示する図である。
【図６Ａ】複数の干渉変調器を備える視覚的ディスプレイ装置の一実施形態を例示しているシステムブロック図である。図６Ａ及び６Ｂは、複数の干渉変調器を備える視覚的ディスプレイ装置の一実施形態を例示しているシステムブロック図である。
【図６Ｂ】複数の干渉変調器を備える視覚的ディスプレイ装置の一実施形態を例示しているシステムブロック図である。
【図７Ａ】図１の装置の断面図である。
【図７Ｂ】干渉変調器の代替の実施形態の断面図である。
【図７Ｃ】干渉変調器の他の代替の実施形態の断面図である。
【図７Ｄ】干渉変調器の更なる代替の実施形態の断面図である。
【図７Ｅ】干渉変調器の付加的な代替の実施形態の断面図である。
【図８】上にディスプレイ素子が形成される基板上に配置されている光転向フィルムと拡散体層とを備えるディスプレイ装置の一部の断面図である。
【図９】反射防止コーティングを更に備えるディスプレイ装置の一部の断面図である。
【図１０】レンズ又はタッチパネルを更に備えるディスプレイ装置の一部の断面図である。
【発明を実施するための形態】
【０００８】
以下の詳細な説明は、本発明のある特定実施形態に導く。しかし、本発明は、異なる様々な方法において、具体化され得る。この明細書において、全ての図面において、類似の部分には類似の番号が付されるよう参照番号が図面に付与されている。以下の説明から明らかであるように、実施形態は、動く画像（例えば、ビデオ）又は動かない画像（例えば、静止画像）であるかどうかに関係なく、また文字画像又は写真画像であるかどうかに関係なく、画像を表示するように構成されるいかなる装置においても実施されることができる。より詳しくは、実施形態は、様々な電子装置において、実施され得るか又は様々な電子装置に関係され得ることが意図されている。様々な電子装置は、限定されないが、例えば携帯電話、無線デバイス、個人データアシスタント（ＰＤＡ）、ハンドヘルド型又は携帯型のコンピュータ、ＧＰＳ受信機／ナビゲータ、カメラ、ＭＰ３プレーヤ、ビデオカメラ、ゲーム機、腕時計、クロック、計算機、テレビモニタ、フラットパネルディスプレイ、コンピュータモニタ、自動ディスプレイ（例えば、走行距離計ディスプレイ、その他）、コックピット制御及び／又はディスプレイ）、カメラ用のディスプレイ（ｄｉｓｐｌａｙ ｏｆ ｃａｍｅｒａ ｖｉｅｗｓ）（例えば、車両の後部ビューカメラのディスプレイ）、電子写真、電子ビルボード又は電子記号、プロジェクタ、建築構造物（ａｒｃｈｉｔｅｃｔｕｒａｌ ｓｔｒｕｃｔｕｒｅｓ）、パッケージ、或いは美的構造物（例えば、宝石上の画像の表示）である。また、本願明細書において、記載されているものに類似する構造を有するＭＥＭＳ装置は、例えば電子スイッチングデバイスのような非表示用途に用いられることもできる。
【０００９】
本願明細書において、記載されている様々な実施形態において、ディスプレイ装置は、ディスプレイ素子のアレイの全体に光を配分するために、ディスプレイ素子のアレイ、例えば干渉変調器のアレイの前方へ配置された光導波路を備える前部照明装置を含む。例えば、光転向フィルムを含む光導波路は、ディスプレイ素子のアレイの周囲照明から照射の選択肢を考慮に入れると共に、光源からディスプレイ素子のアレイまで均一な照射を伝達するためにディスプレイ素子のアレイの前で配置されていてもよい。しかし、多くの携帯用のディスプレイ用途のために、ディスプレイが非常に薄いことが重要である。したがって、本願明細書において、記載されている様々な実施形態で、光導波路は、ディスプレイ素子を製作する際に用いられる基板を備える。光導波路は、また付加的なフィルムを含むことができる。光導波路は、例えば、ディスプレイ素子のアレイを支持しているガラス基板の最上部又は底面に堆積又は積層された光転向フィルムを含むことができる。結果として、全体のディスプレイの総厚みは、基板の上に形成されるディスプレイ素子自身の厚みを越えてわずかな厚みだけが増加される。ある実施形態は、付加的な光学層を含む。付加的な光学層は、例えば、更にディスプレイの光学特徴を強化するための拡散体層（ｄｉｆｆｕｓｅｒ）及び／又は光学絶縁層（ｏｐｔｉｃａｌ ｉｓｏｌａｔｉｏｎ ｌａｙｅｒ）である。
【００１０】
干渉計ＭＥＭＳディスプレイ素子を備える干渉変調器ディスプレイの一実施形態が、図１に図示されている。これらの装置において、ピクセルは、明るい状態又は暗い状態にある。明るい（「オン」又は「オープン」）状態において、ディスプレイ素子は、ユーザに入射可視光の大部分を反射する。暗い（「オフ」又は「クローズ」）状態にあるときにおいて、ディスプレイ素子はユーザに入射可視光を殆ど反射しない。実施形態に応じて、「オン」状態及び「オフ」状態の光反射率の特徴は逆であることができる。ＭＥＭＳピクセルは選択された色を主に反射するように構成されることができる。ＭＥＭＳピクセルは、白黒に加えてカラーディスプレイを考慮に入れる。
【００１１】
図１は、画像ディスプレイにおける一連のピクセルのうち２つの隣接ピクセルを表す等角図である。各ピクセルはＭＥＭＳ干渉変調器を備える。幾つかの実施形態において、干渉変調器ディスプレイは、その干渉変調器の横列アレイ（ｒｏｗ ａｒｒａｙ）／縦列アレイ（ｃｏｌｕｍｎ ａｒｒａｙ）を備える。各干渉変調器は、少なくとも一つの可変的な寸法を有する共振光ギャップ（ｒｅｓｏｎａｎｔ ｏｐｔｉｃａｌ ｇａｐ）を形成するために、各々から可変的且つ制御可能な距離に置かれる一対の反射層を含む。一実施形態において、一対の反射層のうちの一方は、２つの位置の間で移動できる。本明細書において、緩和位置と記載する第一位置において、移動可能な反射層は、固定された部分的反射層（ｆｉｘｅｄ ｐａｒｔｉａｌｌｙ ｒｅｆｌｅｃｔｉｖｅ ｌａｙｅｒ）から、比較的大きな距離に配置される。本明細書において、作動位置と記載する第二位置において、移動可能な反射層は、部分的反射層により接近して配置される。２枚の層から反射する入射光は移動可能な反射層の位置に応じて建設的に、又は破壊的に干渉し、各ピクセルに対して、全体的に反射する状態又は反射しない状態を生じる。
【００１２】
図１のピクセルアレイの表示された部分は、２つの隣接する干渉変調器１２ａ及び１２ｂを含む。左側上の干渉変調器１２ａにおいて、移動可能な反射層１４ａは光学積層体１６ａから予め定められた距離での緩和位置において例示される。光学積層体１６ａは部分的反射層を含む。右側上の干渉変調器１２ｂにおいて、移動可能な反射層１４ｂは、光学積層体１６ｂに隣接する作動位置において、例示される。
【００１３】
本願明細書において、参照されるように、光学積層体１６ａ及び１６ｂ（あわせて光学積層体１６と呼ばれる）は一般的に幾つかの融解層（ｆｕｓｅｄ ｌａｙｅｒｓ）を備える。いくつかの融解層は、酸化インジウムスズ（ＩＴＯ）層のような電極層、クロム層のような部分的反射層、及び透明な絶縁体層を含むことができる。光学積層体１６は、このように電気伝導性を有すると共に、部分的に透明であり、且つ部分的に反射性を有する。光学積層体１６は、例えば、透明基材２０上に上記の層の一つ以上を堆積させることによって、作られ得る。部分的反射層は、部分的に反射する様々な材料、例えば様々な金属、半導体及び絶縁体から形成されることができる。部分的反射層は材料の一つ以上の層の形態で形成されることができ、層の各々は単一の材料又は材料の組合せの形態で形成されることができる。
【００１４】
幾つかの実施形態では、光学積層体１６の層は、平行した縞状（ｓｔｒｉｐｓ）にパターン化されて、更に後述するようにディスプレイ装置の横列電極（ｒｏｗ ｅｌｅｃｔｒｏｄｅｓ）を形成できる。移動可能な反射層１４ａ、１４ｂは、ポスト１８とポスト１８の間に堆積された中間犠牲材料（ｉｎｔｅｒｖｅｎｉｎｇ ｓａｃｒｉｆｉｃｉａｌ ｍａｔｅｒｉａｌ）層と、ポスト１８の上面の上に堆積された金属層又は複数の金属層（横列電極１６ａ、１６ｂに対して垂直な）の一連の平行したストリップとして形成されることができる。犠牲材料がエッチングされてなくなるときに、移動可能な反射層１４ａ、１４ｂは画成されたギャップ１９によって、光学積層体１６ａ、１６ｂから切り離される。アルミニウムのような高い伝導性及び高い反射性を有する材料が反射層１４のために用いられることができ、これらの縞はディスプレイ装置の縦列電極を形成できる。
【００１５】
電圧が印加されない場合、図１のピクセル１２ａで示すように、機械的に緩和状態（ｍｅｃｈａｎｉｃａｌｌｙ ｒｅｌａｘｅｄ ｓｔａｔｅ）の移動可能な反射層１４ａによって、移動可能な反射層１４ａと光学積層体１６ａの間にギャップ１９が残る。しかし、選択された「横列及び縦列」に電位差が印加されると、対応するピクセルの横列電極及び縦列電極の交差箇所で形成されるコンデンサが充電され、静電力（ｅｌｅｃｔｒｏｓｔａｔｉｃ ｆｏｒｃｅｓ）は電極を互いに引きつける。電圧が十分に高い場合、移動可能な反射層１４は変形して、光学積層体１６に押し付けられる。図１の右上のピクセル１２ｂで示すように、光学積層体１６内の誘電体層（この図に図示されていない）は、層１４と１６の間の短絡を防止できると共に、層１４と１６の間に分離距離が制御できる。印加電位差の極性に関係なく、動作（ｂｅｈａｖｉｏｒ）は同じことである。このように、反射ピクセル状態に対する無反射ピクセル状態を制御できる横列動作／縦列動作は、従来のＬＣＤ及び他の表示技術で使われている様々な方法に類似している。
【００１６】
図２から図５Ｂは、表示用途に干渉変調器のアレイを用いるための１つの例示的なプロセス及びシステムを例示する。
【００１７】
図２は、本発明の態様を組み込むことができる電子装置の一実施形態を例示しているシステムブロック図ある。例示の実施形態において、電子装置は、プロセッサ２１を含む。プロセッサ２１は、ＡＲＭ、Ｐｅｎｔｉｕｍ（登録商標） Ｒ、Ｐｅｎｔｉｕｍ（登録商標） ＩＩＲ、Ｐｅｎｔｉｕｍ（登録商標） ＩＩＩＲ、Ｐｅｎｔｉｕｍ（登録商標） ＩＶ、Ｐｅｎｔｉｕｍ（登録商標）Ｒプロ、８０５１、ＭＩＰＳＲ、Ｐｏｗｅｒ ＰＣＲ又はＡＬＰＨＡＲのような任意の一般的な目的のシングルチップ・マイクロプロセッサ又はマルチチップ・マイクロプロセッサでもあってもよく、デジタル信号プロセッサ、マイクロコントローラ又はプログラム可能なゲートアレイのような特別な目的のマイクロプロセッサであってもよい。従来技術において使用されているように、プロセッサ２１は一つ以上のソフトウェア・モジュールを実行するように構成され得る。オペレーティングシステムを実行することに加えて、プロセッサは一つ以上のソフトウェア用途を実行するように構成されることができる。一つ以上のソフトウェア用途は、ウェブブラウザ、電話用途、電子メールプログラム又は他のいかなるソフトウェア用途も含む。
【００１８】
一実施形態において、プロセッサ２１は、アレイドライバ（ａｒｒａｙ ｄｒｉｖｅｒ）２２と通信するようにも構成される。一実施形態において、アレイドライバ２２は、ディスプレイアレイ又は表示パネル３０に信号を提供する横列ドライバ回路（ｒｏｗ ｄｒｉｖｅｒ ｃｉｒｃｕｉｔ）２４及び縦列ドライバ回路（ｃｏｌｕｍｎ ｄｒｉｖｅｒ ｃｉｒｃｕｉｔ）２６を含む。図１に図示されるアレイの断面図は、図２の線１―１により示される。ＭＥＭＳ干渉変調器のために、横列動作プロトコル／縦列動作プロトコルは、図３に図示される装置のヒステリシス特徴を利用できる。例えば、移動可能な層を緩和状態（ｒｅｌａｘｅｄ ｓｔａｔｅ）から作用状態（ａｃｔｕａｔｅｄ ｓｔａｔｅ）まで変形させるために１０Ｖの電位差を必要とすることができる。しかし、電圧がその値から減らされるときに、電圧が１０Ｖ以下に後退するにつれて、移動可能な層はその状態を維持する。図３の例示的実施形態において、電圧が２Ｖ以下に低下するまで、移動可能な層は完全に緩和しない。このように、印加電圧の窓が存在する。図３に図示される実施形態において、印加電圧の窓は約３〜７Ｖである。印加電圧の窓の中で、装置は緩和状態又は作用状態において、安定である。これは、本明細書において、「ヒステリシス窓」又は「安定性窓」と称される。図３のヒステリシス特徴を有するディスプレイアレイのために、横列／縦列動作のプロトコルは、横列ストロボ（ｒｏｗ ｓｔｒｏｂｉｎｇ）の際に、作用されることになっているデータ送受信が開始・制御された横列のピクセルが約１０Ｖの電圧差にさらされると共に、緩和されることになっているピクセルは約０Ｖの電圧差にさらされるに設計され得る。ストロボの後で、ピクセルは約５Ｖの定常状態電圧差に晒され、ピクセルは横列ストロボが入った状態（ｐｕｔ ｔｈｅｍ ｉｎ）か何れかの状態のままになる。書き込まれた後、各ピクセルは、この実施形態における３Ｖ〜７Ｖの「安定性窓」の中の電位差になる。この特徴は、既存の作用状態又は緩和状態との同じ印加電圧の条件の下で、図１に示すピクセル構造を安定させる。干渉変調器の各ピクセルは、作用状態であるか又は緩和状態であるかに関わらず、基本的に固定及び可動の反射層により形成されるコンデンサであるので、この安定した状態は殆どパワーの散逸なしにヒステリシス窓内の電圧で保たれ得る。基本的に、印加ポテンシャルが固定される場合、電流はピクセル内に流入しない。
【００１９】
典型的用途において、表示フレームは、第１の横列の作動ピクセルの所望のセットに従って、縦列電極の一組を断定することにより作成されることができる。横列パルスはそれから横列１電極に適用され、断定された縦列ラインに対応するピクセルを作動させる。その後、縦列電極の断定されたセットは、２本目の横列の作動ピクセルの所望のセットに対応するために変えられる。その後、パルスは横列２の電極に適用され、断定された縦列電極に従って横列２の適当なピクセルを作動させる。横列１のピクセルは、横列２のパルスに影響を受けず、横列１のパルスの間に設定された状態が維持される。これは、順次的に一連の全て横列に対して繰り返され、フレームが生成される。通常、１秒につき幾つかの所望の数のフレームでこのプロセスを継続的に繰り返すことによって、フレームは、新しいディスプレイデータでリフレッシュされ及び／又はアップデートされる。ピクセルアレイの横列電極及び縦列電極を駆動させて表示フレームを生成する多様なプロトコルは、周知でもあり、且つ本発明と連動して使われることもできる。
【００２０】
図４、図５Ａ及び図５Ｂは、図２の３×３アレイ上に表示フレームを作成するための１つの可能な作動プロトコルを例示する。図４は、図３のヒステリシス曲線を示しているピクセルのために用いられ得る縦列電圧レベル及び横列電圧レベルの可能な一組を例示する。図４の実施形態において、ピクセルを起動させることには、適当な縦列を−Ｖｂｉａｓに、適当な横列を＋ΔＶにセットすることが含まれる。−Ｖｂｉａｓ及び＋ΔＶはそれぞれ、−５Ｖ及び５Ｖに対応し得る。ピクセルを緩和させることには適当な縦列をＶｂｉａｓに、適当な横列を同じ＋ΔＶにセットして、ピクセルを横切る０Ｖの電位差を生成するで達成できる。横列電圧が０Ｖで保たれるそれらの横列において、縦列が＋Ｖｂｉａｓであるか−Ｖｂｉａｓであるかに関係なく、ピクセルはそれらの第一の状態で安定になる。また、図４に図示されているように、上記の電圧と反対極性の電圧が用いられ得ることは言うまでもなく、例えば、ピクセルを起動させることには、適当な縦列をＶｂｉａｓに、適当な横列を−ΔＶにセットすることができる。この実施形態では、ピクセルを緩和させることには適当な縦列を−Ｖｂｉａｓに、適当な横列を同じ−ΔＶにセットして、ピクセルを横切る０Ｖの電位差を生成するで達成できる。
【００２１】
図５Ｂは、図５Ａに図示されるディスプレイ装置に結果としてなる図２の３×３アレイに適用される一連の横列信号及び縦列信号を示しているタイミング図である。ここで、作動ピクセルは無反射である。図５Ａに図示されるフレームを書き込む前に、ピクセルは、いかなる状態にあることができる。この例では、すべての横列が０Ｖであり、すべての縦列が、＋５Ｖである。これらの印加電圧で、すべてのピクセルは、それらの既存の作用状態又は緩和状態において、安定である。
【００２２】
図５Ａのフレームにおいて、ピクセル（１，１）（１，２）（２，２）、（３，２）及び（３，３）が、作動する。これを達成するために、横列１のための「線時間」の間、縦列１及び縦列２は−５Ｖにセットされる。そして、縦列３は＋５Ｖにセットされる。これはいかなるピクセルの状態も変えない。その理由は、すべてのピクセルは３Ｖ〜７Ｖの安定性窓のままであるからである。その後、横列１は、０Ｖから５Ｖまでに至り、またゼロへ戻るパルスによって、データ送受信が開始・制御される。これは、ピクセル（１，１）及び（１，２）を作動させて、ピクセル（１，３）を緩和させる。アレイにおける他のいかなるピクセルも、影響を受けない。要望通り、横列２をセットするために、縦列２を−５Ｖに、縦列１及び３を＋５Ｖにセットする。その後、横列２に適用される同じストロボは、ピクセル（２，２）を作動させて、ピクセル（２，１）及び（２，３）を緩和させる。また、アレイの他のいかなるピクセルも、影響を受けない。横列３は、縦列２及び縦列３を−５Ｖにセットし、縦列１を＋５Ｖにセットすることでセットされる。横列３のストロボは、図５Ａに示すように横列３ピクセルをセットする。フレームを書き込んだ後に、横列電位はゼロである。縦列電位は＋５又は−５Ｖに維持されることができ、その後、表示は図５Ａのアレイにおいて、安定となる。同じ手順が多数又は何百の横列又は縦列のアレイのために使用されることができることはいうまでもない。横列動作又は縦列動作を実行するために用いる電圧のタイミング、シーケンス及びレベルが上で概説された一般的な原則内で広く変化できることを理解されたい。上記の例は一般的な例に過ぎず、そして、いかなる駆動電圧方法が、本願明細書において、説明されるシステム及び方法と共に用いられることが可能である。
【００２３】
図６Ａ及び図６Ｂは、ディスプレイ装置４０の一実施形態を例示しているシステムブロック図である。ディスプレイ装置４０は、例えば、携帯電話又は移動電話でありえる。しかし、ディスプレイ装置４０又はそれの僅かな変形例の同じ構成要素は、例えばテレビ及び携帯用のメディアプレーヤの様々な形のディスプレイ装置も図示する。
【００２４】
ディスプレイ装置４０は、ハウジング４１、ディスプレイ３０、アンテナ４３、スピーカ４５、入力装置４８及びマイクロホン４６を含む。ハウジング４１は通常、当業者にとって周知である様々な製造プロセスのいずれかから形成され、注入成形（ｉｎｊｅｃｔｉｏｎ ｍｏｌｄｉｎｇ）及び真空成形（ｖａｃｕｕｍ ｆｏｒｍｉｎｇ）を含む。更に、ハウジング４１は、限定的ではないが、プラスチック、金属、ガラス、ゴム及びセラミック、又はそれらの組み合わせを含む様々な材料の何れかから作られることが可能である。一実施形態において、ハウジング４１は、異なる色の他の着脱可能な部分又は異なるロゴ、画像又はシンボルを含むの他の着脱可能な部分と交換され得る着脱可能な部分（図示せず）を含む。
【００２５】
本願明細書において、記載されているように、一般的なディスプレイ装置４０のディスプレイ３０は、双安定型ディスプレイ（ｂｉ-ｓｔａｂｌｅ ｄｉｓｐｌａｙ）を含む様々なディスプレイのいずれかであってもよい。他の実施態様において、３０ディスプレイは、当業者にとって周知の、上記の通りの例えばプラズマ、ＥＬ、ＯＬＥＤ、ＳＴＮ ＬＣＤ又はＴＦＴ ＬＣＤのフラットパネルディスプレイ又は例えばＣＲＴ又は他の管装置の非フラットパネルディスプレイを含む。しかし、本実施形態を記載するために、本願明細書において、記載されているように、ディスプレイ３０は、干渉変調器ディスプレイを含む。
【００２６】
一般的なディスプレイ装置４０の一実施形態の構成要素は、図６Ｂにおいて、略図で例示される。図示の一般的なディスプレイ装置４０は、ハウジング４１を含んで、ハウジング４１内に少なくとも部分的に囲まれた追加部品を含むことができる。例えば、一実施形態において、一般的なディスプレイ装置４０は、アンテナ４３を有するネットワークインターフェース２７を含む。アンテナ４３はトランシーバ４７に連結する。トランシーバ４７はプロセッサ２１に接続している。プロセッサ２１はコンディショニングハードウェア５２に接続している。コンディショニングハードウェア５２は、信号を条件づける（例えば、信号をフィルタに通す）ように構成されることができる。コンディショニングハードウェア５２は、スピーカ４５及びマイクロホン４６に接続している。プロセッサ２１は、入力装置４８及びドライバコントローラ２９にも接続している。ドライバコントローラ２９は、フレームのバッファ２８及びアレイドライバ２２に連結する。アレイドライバ２２は、ディスプレイアレイ３０に連結する。電源５０は、特定の一般的なディスプレイ装置４０の設計によって、必要とされるすべての構成要素へ電力を供給する。
【００２７】
一般的なディスプレイ装置４０がネットワーク上の一つ以上の装置と通信できるように、ネットワークインターフェース２７はアンテナ４３及びトランシーバ４７を含む。一実施形態において、ネットワークインターフェース２７は、プロセッサ２１の必須要件を軽減するために若干の処理能力を有することもできる。アンテナ４３は、信号を送信及び受信するためのものであって、当業者に知られている任意のアンテナである。一実施形態において、アンテナはＩＥＥＥ ８０２．１１の（ａ）、（ｂ）又は（ｇ）を含むＩＥＥＥ ８０２．１１の標準によって、ＲＦ信号を送信及び受信する。他の実施形態では、アンテナは、ブルートゥース（ＢＬＵＥＴＯＯＴＨ）標準に従ってＲＦ信号を送信及び受信する。携帯電話の場合、アンテナは、無線携帯電話ネットワーク内での通信に用いられるＣＤＭＡ、ＧＳＭ、ＡＭＰＳ又は他の周知の信号を受信するように設計される。それらはプロセッサ２１によって、受け取られることができて、更に操作されることができるように、トランシーバ４７はアンテナ４３から受け取られる信号を前処理する。それらがアンテナ４３を介して一般的なディスプレイ装置４０から送信されることができるように、トランシーバ４７もプロセッサ２１から受け取られる信号を処理する。
【００２８】
代替的な実施形態では、トランシーバ４７は、受信機と置き換えられることが可能である。更に、また別の実施形態においては、ネットワークインターフェース２７は画像ソースと置き換えられることが可能である。画像ソースはプロセッサ２１に送信される画像データを格納できるか又は生成できる。例えば、画像ソースは、画像データ又は画像データを生成するソフトウェア・モジュールを含むデジタルビデオディスク（ＤＶＤ）又はハードディスクでありえる。
【００２９】
プロセッサ２１は一般に、一般的なディスプレイ装置４０の全作動を制御する。プロセッサ２１は、ネットワークインターフェース２７又は画像ソースからの圧縮イメージデータのようなデータを受信して、生の画像データに、又は、生の画像データに直ちに処理されるフォーマットにデータを処理する。その後、プロセッサ２１は、ドライバコントローラ２９に、又は、記憶のためのフレームバッファ２８に処理されたデータを送る。一般的に生データとは、画像内の各位置における画像特徴を特定する情報をいう。例えば、そのような画像特徴は、色、彩度及びグレイスケール・レベルを含むことができる。
【００３０】
一実施形態において、プロセッサ２１は、マイクロコントローラ、ＣＰＵ又は一般的なディスプレイ装置４０の動作を制御する論理回路装置を含む。コンディショニングハードウェア５２は、一般に、スピーカ４５に信号を送ると共にマイクロホン４６から信号を受け取るためのアンプ及びフィルタを含む。コンディショニングハードウェア５２は、一般的なディスプレイ装置４０内の分離された構成要素でもよいか、又はプロセッサ２１又は他の構成要素内に組み込まれることができる。
【００３１】
ドライバコントローラ２９は、プロセッサ２１によって、発生する生の画像データをプロセッサ２１又はフレームバッファ２８から直接に受け取り、アレイドライバ２２への高速伝送のために、適切に生の画像データを再フォーマットする。具体的には、ドライバコントローラ２９はラスタのようなフォーマットを有するデータフローに生の画像データを再フォーマットする。そうすると、生の画像データはディスプレイアレイ３０全体のスキャンに適している時間順序を有する。そしてドライバコントローラ２９は、アレイドライバ２２にフォーマット化された情報を送る。例えばＬＣＤコントローラのドライバコントローラ２９は、しばしば独立型集積回路（ＩＣ）としてシステム・プロセッサ２１と関係しているにもかかわらず、この種のコントローラは様々な方法で行うことができる。それらは、ハードウェアとしてプロセッサ２１に埋められることができて、ソフトウェアとしてプロセッサ２１に埋められることができ、又は、アレイドライバ２２を有するハードウェアにおいて、完全に集積されることができる。
【００３２】
一般的に、アレイドライバ２２は、ドライバコントローラ２９からフォーマット化された情報を受け取って、ピクセルの表示のｘ‐ｙマトリックスから来ている何百又は時々何千の導線に１秒につき複数回適用される波形の平行したセットにビデオデータを再フォーマットする。
【００３３】
一実施形態において、ドライバコントローラ２９、アレイドライバ２２及びディスプレイアレイ３０は、本願明細書において、記載されているディスプレイのタイプのいずれかに適切である。例えば、一実施形態において、ドライバコントローラ２９は、従来のディスプレイコントローラ又は双安定型ディスプレイコントローラ（ｂｉ-ｓｔａｂｌｅ ｄｉｓｐｌａｙ ｃｏｎｔｒｏｌｌｅｒ）（例えば、干渉変調器コントローラ）である。別の実施形態では、アレイドライバ２２は、従来のドライバ又は双安定型ディスプレイドライバ（例えば、干渉変調器ディスプレイ）である。一実施形態において、ドライバコントローラ２９は、アレイドライバ２２と一体化される。この種の実施形態は、携帯電話、腕時計及び他の小面積型ディスプレイのような高度に集積されたシステムで一般的である。更なる別の実施形態では、ディスプレイアレイ３０は、典型的なディスプレイアレイ又は双安定型ディスプレイアレイ（例えば、干渉変調器のアレイを含むディスプレイ）である。
【００３４】
入力装置４８によって、ユーザが一般的なディスプレイ装置４０の動作を制御できる。一実施形態において、入力装置４８は、ＱＷＥＲＴＹキーボード又は電話キーパッドのようなキーパッド、ボタン、スイッチ、タッチスクリーン、又は、感圧性（ｐｒｅｓｓｕｒｅ-ｓｅｎｓｉｔｉｖｅ）又は感熱性（ｈｅａｔ-ｓｅｎｓｉｔｉｖｅ）の膜を含む。一実施形態において、マイクロホン４６は、一般的なディスプレイ装置４０用の入力装置である。マイクロホン４６がデータを装置に入力するために用いるときに、音声コマンドが一般的なディスプレイ装置４０の制御動作のためにユーザにより提供され得る。
【００３５】
電源５０は、公知技術である様々なエネルギー貯蔵装置を含むことができる。例えば、一実施形態において、電源５０は、ニッケルカドミウム電池又はリチウムイオン電池のような再充電可能電池である。他の実施形態では、電源５０は、更新可能なエネルギー源、コンデンサ、又はプラスチック太陽電池及び太陽電池塗料を含む太陽電池である。他の実施形態では、電源５０は、壁面コンセント（ｗａｌｌ ｏｕｔｌｅｔ）から電力を受け取るように構成される。
【００３６】
いくつかの実施形態では、制御プログラム化の可能性は、上記の通り、電子ディスプレイシステムのいくつかの場所に位置することが可能なドライバコントローラに帰する。いくつかの実施形態では、制御プログラム化の可能性は、アレイドライバ２２に帰する。当業者は、上記の最適化（ｏｐｔｉｍｉｚａｔｉｏｎｓ）が任意の数のハードウェア及び／又はソフトウェア構成要素、及び様々な構成において、行うことができることが理解できる。
【００３７】
上で記載される原理に従って作動する干渉変調器の構造の詳細は、広く変更されてもよい。例えば、図７Ａ〜図７Ｅは移動可能な反射層１４及びそれの支持構造物の５つの異なる実施形態を例示する。図７Ａは図１の実施形態の断面図である。ここで、金属材１４の縞は、直交して延在する支持体１８上に堆積されている。図７Ｂにおいて、綱３２に、移動可能な反射層１４は、角においてのみ支持体に取り付けられる。図７Ｃにおいて、移動可能な反射層１４は変形可能な層３４からぶらさがっている。変形可能な層３４は可撓性金属を備えることができる。変形可能な層３４は、変形可能な層３４の周辺部周辺で直接又は間接的に基板２０に連結される。本願明細書において、これらの連結部は、支持柱と呼ぶこととする。図７Ｄに図示される実施形態は、変形可能な層３４が静止する支持柱プラグ４２を有する。図７Ａ〜図７Ｃのような、移動可能な反射層１４はギャップの上側に浮いたままである。しかし、変形可能な層３４は変形可能な層３４と光学積層体１６の間に穴を埋めることによって、支持柱を形成しない。むしろ、支持柱は平坦化材料層の形態で形成される。平坦化材料層は支持柱プラグ４２を形成するために用いる。図７Ｅに図示される実施形態は、図７Ｄの図示した実施形態に基づくが、図７Ａ〜図７Ｃに図示される実施形態のいずれかと及び示されない付加的な実施形態と共に働くのに適していてもよい。図７Ｅに示す実施形態では、金属又は他の導電材料の追加層は、バス構造４４を形成するために用いた。これは干渉変調器の後ろに沿って信号の経路取りを可能とする。そして、さもなければ基板２０の上に形成されなければならなかった多くの電極を除去する。
【００３８】
図７に示されるそれらのような実施形態において、干渉変調器は直視型装置（ｄｉｒｅｃｔ-ｖｉｅｗ ｄｅｖｉｃｅｓ）として機能する。直視型装置において、画像は干渉変調器が配置される側とは反対側の透明基材２０の前側から見られる。これらの実施形態では、反射層１４は基板２０とは反対側の変形可能な層３４を含む反射層側上の干渉変調器の部分を光学的に保護する。これによって、遮蔽領域が画質に悪い影響を及ぼすことなく、構成されると共に作用され得る。この種の遮蔽は図７Ｅのバス構造４４を可能とし、干渉変調器の光学特徴を、そのアドレス指定から生じるアドレス指定及び動作のような干渉変調器の電気機械プロパティから切り離す能力を提供する。この分離可能な変調器の構造（ａｒｃｈｉｔｅｃｔｕｒｅ）によって、変調器の電気機械側面及び変調器の光学的な側面のために用いられる構造設計及び材料が互いに独立に選択されて、互いに独立に機能することが可能となる。更に、図７Ｃ〜図７Ｅの図示した実施形態は反射層１４の光学特徴をその機械的特徴から切り離すことに由来している付加的な利点を有する。そして、付加的な利点は変形可能な層３４により実現される。これは、反射層１４のために用いられる構造設計及び材料が光学特徴に関して最適化されることを可能にすると共に、変形可能な層３４のために用いられる構造設計及び材料が所望の機械的特徴に関して最適化されることを可能にする。
【００３９】
上述の通り、特定の実施形態において、干渉変調器は、反射性を有して、日光（ｄａｙｌｉｇｈｔ）又は十分に明るい環境（ｗｅｌｌ-ｌｉｔ ｅｎｖｉｒｏｎｍｅｎｔｓ）において、周囲照明に依存する。そのほかに、照明の人工光源は、暗い周囲環境において、干渉変調器の照明のために提供され得る。干渉変調器ディスプレイ用の照明光源は、例えば、光導波路の狭い矩形の端による光を集めて、干渉変調器の方へ光の方向を変えるための光導波路を用いる前部ライトを備えることができる。あるの実施形態では、光導波路は、プラスチック、ガラス板（ｇｌａｓｓ ｓｌａｂ）、シート、プレート又はフィルムを備えることができ、渉変調器の正面に配置される。光転向フィルムは、ディスプレイ素子の方へ光導波路に沿って広がっている光の方向を変えるために板、シート又はフィルム上に覆うか、又は堆積できる。様々な構造において、このような光導波路は、ほぼ１ｍｍ厚さのプラスチックの層を備える。しかし、特定の用途のために、光導波路は全体のディスプレイ装置を薄く保つように、例えば約０．５ｍｍ未満の低減された厚さ又は最小の厚さ有するかもしれない。
【００４０】
ディスプレイの全体の厚みを減らすか又は最小化する１つの方法は、干渉変調器の構造構成要素上、例えば干渉変調器が形成される基板上に光転向フィルムを組み込むことである。この基板は、ガラスを備えることができる。代替的に、基板は、プラスチック又は他の実質的に光学的に透過性材料を備えることができる。干渉変調器の構造構成要素上、例えばガラス基板上に光転向フィルムを形成することによって、人工光源からの光は、干渉変調器のガラス基板層に結合（ｃｏｕｐｌｉｎｇ）されることができて、光転向フィルムによって、干渉変調器に向けられることが可能である。このような実施形態では、別々のガラス、プラスチックスラブ、シート又はフィルムが用いられず、その結果、全体のディスプレイ装置の厚みは著しく低減され得る。
【００４１】
あるの実施形態では、一つ以上の付加的な光学層、例えば拡散体層又は光学絶縁層は、さもなければディスプレイの光学性能を高めるために、干渉変調器の基板上に配置されていてもよい。例えば、拡散体層は、さもなければ必要以上に鏡のようであるディスプレイにより拡散性の映り込み（ｄｉｆｆｕｓｅ ｌｏｏｋ）を提供する干渉変調器から反射される光を散乱させるために設けられ得る。代替的に、又は、追加的に、光学絶縁層は、干渉変調器が光を導波する部分を伝播する光を吸収するのを防止するために、ディスプレイの光をガイドする部分と干渉変調器の間に設けられることができる。本願明細書において、記載されているように、干渉変調器に対する基板上の光転向フィルム、拡散体層及び付加光学膜の幾何学的配置は光の効率を強化するように、更に全体のディスプレイの光学性能を強化するために、又は、他の効果を提供するために、選択されることができる。
【００４２】
ディスプレイ装置は、本願明細書において、記載されている一つ以上の光学層をディスプレイ素子のアレイのガラス基板又はプラスチック基板上に付着するために、当業者に公知の様々な製造プロセスののいずれかを使用して形成されることができる。ガラス又はプラスチック基板は、その上に干渉変調器のアレイのようなディスプレイ素子が製作される支持層を備える。本願明細書において、開示されるように、基板はディスプレイ装置の一つ以上の光学層を支持するために更に用いてもよい。一実施形態において、光転向フィルムは、基板に堆積さ又は積層され得る。例えば、光転向フィルムは、感圧接着剤を使用している基板の上面に積層でもよい。代替的に、光転向フィルムは、従来技術において、公知の技術又は更に開発される他の技術によって、基板上に配置され得る。光転向フィルムは、ディスプレイ素子のアレイから、基板の反対側の表面に配置され得る。ある実施形態では、一つ以上の層は、光転向フィルムと基板の間に配置され得る。
【００４３】
拡散体は、ガラス基板に付着されも得る。いくつかの実施形態では、光転向フィルムが拡散体層と基板の間にあるように、拡散体層は光転向フィルムの前方へ配置されている。例えば、拡散体層は、光転向フィルムに配置されていてもよい。いくつかの実施形態では、一つ以上の層は、拡散体層と光転向フィルムの間に配置されることができる。拡散体層は、従来技術において、公知の又は更に開発される任意の適切な技術を用いて、光転向フィルム又は拡散層と光転向フィルムと間の他の層上に被覆され、堆積され、積層され、又は、エッチングされることができる。例えば、拡散体層はスピンキャスト法により 形成されてもよく、又は、拡散体層は光転向フィルムの表面又は光転向フィルム上に配置された他の層上に直接的に成長された薄膜を備えることができる。幾つかの実施形態において、拡散体層は、光転向フィルムに対して一つ以上層又は構造を積層するために用いられる、拡散特徴体（ｄｉｆｆｕｓｉｎｇ ｆｅａｔｕｒｅｓ）を有する感圧接着層のような拡散させるためにその中の微粒子を有する接着剤を備える。他の実施態様において、拡散体層は、光転向フィルム又は光転向フィルムの上の層に積層された表層拡散体層シート（ｓｕｒｆａｃｅ ｄｉｆｆｕｓｅｒ ｓｈｅｅｔ）又は体積拡散体層シート（ｖｏｌｕｍｅ ｄｉｆｆｕｓｅｒ ｓｈｅｅｔ）でもよい。拡散体層は、キャリアの上に形成される薄膜を備えることもできる。
【００４４】
ある実施形態では、光学絶縁層は、ガラス基板とディスプレイ素子のアレイの間に配置されることができる。例えば、光学絶縁層は、ガラス基板とディスプレイ素子のアレイとの間の基板の表面上に積層又は堆積され得る。他の実施態様において、光学絶縁層がガラス基板とディスプレイ素子のアレイとの間にあるように、光学絶縁層は基板の上の層に積層又は堆積され得る。
【００４５】
更に、様々な変形例が、可能である。フィルム、層、構成要素及び／又は要素は、加えられ、除去され、又を、再配置できる。加えて、処理ステップは、加えられ、除去され、又は、再び整理されることができる。また、本願明細書において、フィルム及び層が用いられたが、本明細書で用いられるそのような用語はフィルム積層体及び多層フィルムを含む。そのようなフィルム積層体及び多層フィルムは、接着剤を用いて他の構造に付着させるか又は堆積技術又は他の方法で他の構造上に形成されることができる。複数の光学層のいくつかの幾何学的配置の中の何れかは、周知の製造法又は更に開発される技術を用いて、ディスプレイ素子の基板上に生成されて所望の光学特徴を有する薄いディスプレイ装置を提供する。
【００４６】
図８は、光転向フィルム８２が干渉変調器８６のアレイのためのガラス基板８５の上面に配置された照明装置８０の一部の一実施形態を例示する。図８に示す実施形態では、光転向フィルム８２は、キャリア８２ｂに配置されている転向特徴体（ｔｕｒｎｉｎｇ ｆｅａｔｕｒｅｓ）８２ａを含む。図８の図示した実施形態においては、転向特徴体８２ａはキャリア８２ｂの後方にあるが、他の実施形態においては、転向特徴体がはキャリア８２ｂの前方にある。更なる他の実施形態において、キャリア８２ｂは、除外される。光転向フィルム８２は、いくつかの実施形態において、感圧接着剤（ｐｒｅｓｓｕｒｅ ｓｅｎｓｉｔｉｖｅ ａｄｈｅｓｉｖｅ）にような接着剤を用いてガラス基板８５に付着され得る。
【００４７】
ガラス基板８５及び光転向フィルム８２は、光が導波されることができる照明装置８０の光導波領域８１を形成する。しかし、ガラス基板８５が干渉変調器８６の構造構成要素である、光導波路８１によるディスプレイ装置の全体の厚みは光転向フィルム８２の追加によって、増加する。光導波路のための別のガラス又はプラスチック板、又はシートの必要性は、干渉変調器８６のガラス基板８５に直接光転向フィルム８２を付着することによって、また光を導く基板を用いることによｔって除去される。従って、照明装置８０の全体の厚みは光転向フィルム８２の厚みによって、増加するだけである。そして、それは通常、約５０μｍ〜３００μｍの間にある。光転向フィルム８２と基板８５間の感圧接着剤は、幾つかの実施形態において、約２５μｍ〜５０μｍでもよい。
【００４８】
図８の図示した実施形態は、光導波路８１及び干渉変調器８６のアレイ上に配置された拡散層８４を更に備える。拡散層８４には、キャリア８４ｂに配置されている複数の拡散特徴体８４ａ又は散乱特徴体８４ａを備える。複数の散乱特徴体８４ａがキャリア８４ｂの後方の拡散層の一部内のに配置されているように示されるにもかかわらず、他の実施形態で、複数の散乱特徴体８４ａはキャリア８４ｂの前方へ拡散層の一部に配置されていてもよい。あるいは、キャリアを、除外できる。拡散体層８４は、光転向フィルムが拡散体層と基板８５及び干渉変調器８６との間にあるように、光転向フィルム８２の前方に配置されて、光転向フィルム８２に付着した。
【００４９】
例えば一つ以上の発光ダイオード（ＬＥＤ）を備える光源８３は、光導波路８１に対して配置され、光導波路内に光を注入する。図８に示す実施形態では、例えば、光源８３からの光５は、照明装置８０における光を導波する部分８１の一端内に注入される。いくつかの実施形態では、光源８３は、光を点光源エミッタ（例えば、発光ダイオード）から線光源に変える光注入システムを備える。光注入システムは、例えば、光バー（ｌｉｇｈｔ ｂａｒ）を備えることができる。他のタイプの光源が、使われることもできる。
【００５０】
このように、光５は、光転向フィルム８２及び／又はガラス基板８５の一端に射出される。光５は、光転向フィルム８２と拡散層８４との間に屈折率の違いのため、全反射で少なくとも部分的に光導波領域８１に沿って伝播される。
【００５１】
例えば、光転向フィルム８２及び／又はキャリア８２ｂは、一般的にポリカーボネート、アクリル、例えばポリメチルメタクリレート、ＰＭＭＡ又はアクリル酸塩共重合体（例えばポリエステル繊維（スチレン‐メチル・メタクリル酸塩）ポリマー、ＰＳ‐ＰＭＭＡ、Ｚｙｌａｒという名前で販売される又は他の光学的に透明なプラスチック）のような材料を備える。可視スペクトルの波長に対して、ポリカーボネートの屈折率は、約１．５９であり、Ｚｙｌａｒ（登録商標）の屈折率は、約１．５４である。
【００５２】
拡散層８４は、低い屈折率を有する材料を備えることができる。低い屈折率を有する材料は、例えば、１．４７の屈折率を有する感圧接着剤から成ることができる。この材料が全反射を通じて光導波路領域８１内における光の導波を容易にするので、この材料は本明細書において、クラッド８８ａと称される。特に、光転向フィルム８２の屈折率がクラッド８８ａの屈折率より大きいので、光転向フィルム／クラッドの界面上に入射される光は臨界角より大きいとき、光導波領域８１内へ反射されて戻り、光導波領域８１に沿って伝播され続ける。
【００５３】
更に、光５は、光導波路８１に沿って光の伝播を支持しているディスプレイ素子８６から反射され得る。しかし、干渉変調器のようなディスプレイ素子８６は、吸収性を有することができ、その結果、下で詳細に述べられるように、その上に入射される光の一部を吸収することができる。
【００５４】
したがって、ディスプレイ装置は、ガラス基板８５と干渉変調器８６のアレイの間に配置された光学絶縁層８８ｂを更に備えることができる。一般的に、法線（ｔｈｅ ｎｏｒｍａｌ）からディスプレイ素子まで測定される４５°〜９０°の角度で導波される光に対して、干渉変調器８６は、吸収性の構造をとる。このように、光導波部分８１を導波する光の一部と、斜めの角度で干渉変調器８６上に入射される光の一部は、充分な数の反射後、干渉変調器８６によって実質的に吸収されることがある。吸収による光のこの損失を減らし、最小化し、又は防止するために、光学絶縁層８８ｂは、ガラス基板８５と干渉変調器８６との間に配置されることができる。以下に詳述するように、光学絶縁層８８ｂは、有利にガラス基板８５より実質的に低い屈折率を有する。その結果、光は光導波部８１を通って進み、ある角度でガラス／光学絶縁層の界面に例えば、臨界角（例えば、４０°又は５０°より大きい）大きな斜角又すれすれ角（ｇｒａｚｉｎｇ ａｎｇｌｅ）で当たり、照明装置８０の光導波部分８１内へと全反射して戻る。様々な種実施形態において、光学絶縁層は、二酸化ケイ素又はフッ素化した二酸化ケイ素を備える。
また、他の材料も使用され得る。
【００５５】
特定の実施形態において、光導波部分８１を備える複数の光学層、ここでは光転向フィルム８２及びガラス基板８５、の屈折率は、有利なことに互いに近いので、光が実質的に反射されることなく複数の光学層を通って伝達され得る。基板８５は、例えば、１．５２の屈折率を有することができる。上述の通り、特定の実施形態において、基板８５はガラス又はポリマー材料を含むことができる。
【００５６】
幾つかの実施形態では、基板８５の屈折率は、光転向フィルム８２の屈折率より低い。そのような設計では、基板８５と転向特徴体８２ａとの間の界面上の大きな入射角（例えば７０°から９０°）で入射される光の一部分は反射されて戻り、光が光源８３の反対側に光転向フィルム８２の端部まで導波される。例えば、光転向フィルム８２の効率は高いとき、このような構成は、ディスプレイ素子８６上の導波される光の配布の均一性が改善され得る。
【００５７】
ある実施形態では、照明装置８０の光導波部分８１又は他の部分は、例えば感圧接着剤（ＰＳＡ）層のような接着層を更に備える。ＰＳＡ層は、拡散層８４、光転向フィルム８２、及びガラス基板８５を付着するために用いてもよい。様々な種実施形態において、ＰＳＡ層は、通常、約１．４７〜１．５３の屈折率を有すると共に透明であり、屈折率が可視スペクトルの波長に対して屈折率が１．５２であるガラス基板８５の屈折率に合致する。例えば、特定の実施形態で、ＰＳＡ層の屈折率は、約１．５３である。ＰＳＡ層の屈折率をガラス基板８５及び光転向フィルム８２と適合させることは、周囲から、又は、基板８５と光転向フィルム８２との間における光導波路の光源から生じる不必要な反射を防止するのに有利である。また、そのような接着層も、どこかに用いられ得る。複数の層を一緒に付着するための変形例が使われることもできる。
【００５８】
光がディスプレイ素子８６の方へ方向が変えられるように、また、戻された光の伝播方向がディスプレイ素子の表面に法線から４５°未満の角度をなすように、光転向フィルム８２の複数の転向特徴体８２ａは光導波路８１において正常に導波される光を向かせる。従って、光は、光導波路及びディスプレイ素子８６のアレイに対して実質的に垂直に、光導波部分８１の厚みを通って方向が変えられて、おそらく直角入射又はそれに実質的に近い状態でディスプレイ素子８６に伝達される。ある実施形態では、転向特徴体８２ａは、複数の表面特徴体部又は体積特徴体を含むことができる。幾つかの実施形態では、光転向フィルム８２は回折光学要素を備える。そして、転向特徴体は光転向フィルム８２で幅方向にわたって延びている回折特徴体を備える。回折光学要素は、光転向フィルム８２で幅方向に延びる体積特徴体又は表面特徴体を備えることができる。ある実施形態では、光転向フィルム８２はホログラム特徴体を備える。そして、転向特徴体８２ａはホログラフィック特徴体を備える。ホログラム特徴体は、光転向フィルム８２で幅方向にわたって延びるホログラフィック体積特徴体又は表面特徴体を備えることができる。ホログラムフィルムは、プラスチックキャリア上に配置されていてもよい。
【００５９】
代替的に、転向特徴体８２ａは、光転向フィルム８２の幅に沿って延びている複数のマイクロプリズムを含むことができる。マイクロプリズムは、光転向フィルム８２の幅に沿って伝播している光５を受光しして、通常７０°〜９０°の間で大きな角度で光５を向かせるように構成され得る。プリズム微細構造は、全反射を介して光を反射するために互いにある角度に曲がっている２つ以上の転向ファセット（ｔｕｒｎｉｎｇ ｆａｃｅｔｓ）を備えることができ、光を垂直入射又はほぼ垂直入射でディスプレイ素子８６のアレイに向かせる。プリズム微細構造は、キャリア上に配置されているフィルムに含まれることができる。転向特徴体のサイズ、形状及び分離が変化できることに注意されたい。光転向フィルムは、回析的、ホログラフィック的、プリズム的、その他、様々なタイプが可能である。したがって、異なるサイズ、形状、構成及び配置が、適用可能である。
【００６０】
転向特徴体８２ａによって戻られた後、光５はそれが調整されることができる干渉変調器８６の方へ光導波領域８１の厚みを通って伝達され、ディスプレイ装置上に画像を提供するためにディスプレイ装置の前で配置するビューア（ｖｉｅｗｅｒ）の方へ光導波部分８１によって、反射されて戻される。この反射光は、図８の矢印８９によって、図式的に表される。
【００６１】
様々な実施形態において、光転向フィルム８２によって、光導波部分８１に実質的に垂直になる光のように急な角度（ディスプレイ素子の法線により近い）で光導波部分８１を通って伝搬する光又は周囲の光は、低い反射を有する層の間の界面によって伝達される。
この垂直に入射される光又は垂直に近い角度で入射される光は、そのパワー（ｐｏｗｅｒ）又はフラックス（ｆｌｕｘ）の損失が約０．５％未満であることが好ましく、そのパワー又はフラックスの損失が約０．１％未満であることがより好ましい。
【００６２】
上記の通りに、代替的な実施形態では、光転向フィルム８２及び拡散層８４は、キャリア８２ｂ、８４ｂを含む必要はない。例えば、拡散層８４は、光散乱特徴体（ｌｉｇｈｔ ｄｉｆｆｕｓｉｎｇ ｃｈａｒａｃｔｅｒｉｓｔｉｃｓ）を提供するため、その内部に散在する微粒子のような光拡散特徴体又は光散乱特徴体を有する透明な粘着性又は他の材料を備えることができる。この設計はキャリア８４ｂの必要性を取り除くことによって、全体の表示照明装置８０の厚みを更に減少させることができ、それによって、幾つかの実施形態において、拡散層８４が約２５μｍ〜１００μｍの厚みになるようにすることができる。
【００６３】
図９は、ディスプレイ装置の照明装置８０の他の実施形態を示す。本実施形態において、反射防止層９０が拡散層８４の前方に配置される。この特定の実施形態では、反射防止層９０は、拡散層８４ａを支持するキャリア８４ｂ上に配置される。他の実施形態は、異なって構成されることができる。例えば、一つ以上の層は、拡散層８４と反射防止層９０の間に配置されることができる。また、拡散層８４は、異なる構成であり得る。幾つかの実施形態では、例えば、上記の通りに、キャリア８４ｂを、除かれ得る。
【００６４】
様々な実施形態において、反射防止層９０は、照明装置８０から周辺光の反射を減らす。ビューアが光変調器８６のアレイから反射された変調された光と共に変調されていない光という反映環境を見るとき、このような反射された周辺光は装置のコントラストを減少させ得る。
【００６５】
反射防止層９０は、反射を減らす一つ以上の層を備えることができる。例えば、反射防止層９０は、照明装置８０（例えば、拡散体層８４）と環境（又は反射防止層の前方の層）の間に屈折率整合を増加させる透明な絶縁体でもよい。幾つかの実施形態では、反射防止層９０は、例えば、４分の１波長積層体の干渉積層体のような多層積層体を備える。様々な反射防止層は、可能である。
【００６６】
図９も、照明装置８０の構造における他の可能な変形例を示す。クラッド８８ａは、光転向フィルム８２と拡散体層８４との間に配置されて示される。例えば、このクラッド８８ａは、例えば、光転向フィルム８２、及びおそらく基板８５の屈折率より低い屈折率を有する材料を備えることができる。したがって、クラッド８８ａは、全反射を介して光導波領域８１内に光の伝播を補助できる。より低い屈折率を有するクラッド８８ａを用いると、拡散体層８４ａの屈折率は、光転向フィルム８２の屈折率より低いものに限定されいない。他の実施態様において、拡散体層８４は、図８と関連して上で検討したように、クラッド８８ａの一部を形成することができる。他の変形例も、可能である。
【００６７】
図９において表される実施形態において、光転向フィルム８２は、クラッド８８ａに付着する。図８に示されているように、転向特徴体８２ａを支持するための分離されたキャリア８２ｂは、構造における可能な変形例を説明するために、図９に含まれていない。基板８５又はクラッド８８ａは光転向フィルム８２のための構造支持体を提供することができ、又は光転向フィルムはそれ自身で十分に硬くてもよい。幾つかの実施形態では、光転向フィルム８２は、プリズム状のフィルムを備える。他の実施態様において、光転向フィルム８２は、回析層又はホログラフィック層を備える。更に他の変形例が可能である。
【００６８】
図１０は、ディスプレイ装置の照明装置８０の他の実施形態を示す。本実施形態において、カバーレンズ又はタッチパネル１００は、拡散層８４の前方に配置されている。他の実施態様において、カバーレンズ又はタッチパネル１００は、その代わりに、平坦なカバープレートを備えることができる。この特定の実施形態では、カバーレンズ又はタッチパネル１００は、拡散体層８４に配置されている。他の実施形態は、異なって構成されることができる。例えば、一つ以上の層が、拡散体層８４とカバーレンズ又はパネル１００との間に配置され得る。
【００６９】
カバーレンズ１００は、正度数（ｐｏｓｉｔｉｖｅ ｐｏｗｅｒ）又は負度数（ｎｅｇａｔｉｖｅ ｐｏｗｅｒ）の光学要素を備えることができる。カバーレンズ１００は、屈折レンズ又は回析（例えば、ホログラフィック）レンズを備えることができる。幾つかの実施形態では、複数の微（ｌｅｎｓｌｅｔｓ）は、拡散層８４の前方に配置されてもよい。
【００７０】
タッチパネル１００は、ユーザが照明装置８０又はディスプレイ装置の一部分を触ってデータを入力することができ、オプションを選択でき、又は、ディスプレイ装置を制御できるように様々なタッチパネルを備えることができる。更に進化されたタッチパネル１００が、用いられることもできる。
【００７１】
図１０も、照明装置８０の構造における他の可能な変形例を示す。例えば、図１０において表される実施形態において、拡散体層８４はカバーレンズ又はタッチパネル１００と、光転向フィルム８２のためのキャリア８２ｂと、に取り付けられる。図８及び図９に示されているように、分離されたキャリア８４ｂは、可能性のある構造における変形例を示すために、図１０に含まれていない。カバーレンズ又はタッチパネル１００と、光転向フィルム８２のためのキャリア８２ｂとによって、拡散体層８４のための構造的な支持を提供する。または、拡散体層は、それ自体が構造的に硬くてもよい。幾つかの実施形態では、拡散体層８４は、例えば、カバーレンズ又はタッチパネル１００を光転向フィルム８２に付着する接着層を備える。接着層は、光を拡散するために、その中に微粒子のような拡散特徴体又は散乱特徴体を含むことができる。幾つかのの実施形態において、拡散層８４は、ゲルを含むこともできる。ゲルは、光を拡散するために、その中に微粒子のような拡散特徴体又は散乱特徴体を含むことができる。ゲルはカバーレンズ又はタッチパネル１００と光転向フィルム８２及び転向特徴体８２ａとの光学的な結合を提供する。更に他の変形例が、可能である。様々な実施形態において、散乱特徴体は、少なくともそれの一部分が光導波路８１のためのクラッドである材料内に配置されている。このような実施形態では、少なくともマトリクス材料の一部は、散乱特徴体と光導波路８１との間に配置され得る。従って、散乱特徴体はクラッド内に配置されていてもよく、クラッドの少なくとも一部が散乱特徴体と光転向フィルムの間に配置される。
【００７２】
図１０は、様々な構成要素が照明装置８０及び／又はディスプレイ装置に加えられることが可能であることを示す。付加反射防止層９０、タッチスクリーン及び／又はレンズ１００において、他の構成要素が、含まれることもできる。
【００７３】
様々な他の代替配置構造も、可能である。例えば、構成要素（例えば、層）が、加えられ、取り除かれることができ、又を再配置できる。同様に、処理及び方法ステップが、加えられ、取り除かれることができ、又を再配置できる。また、本願明細書において、用いられたフィルム及び層という用語が用いられているが、本明細書で用いられるそのような用語はフィルム積層体及び多層を含む。そのようなフィルム積層体及び多層は、接着剤で他の構造に付着されるか又は堆積又は他の方法で形成され得る。
【００７４】
従って、本発明が特定の実施形態及び実施例の文脈に沿って説明されてきたが、本発明がその本発明及び明らかな変更態様及び等価物の他の別の実施形態及び／又は用いられる能力に特に開示された実施形態を越えて更に延伸することは当業者によってよく理解されている。更に、本発明の幾つかの変形例が示されると共に説明されたが、特許請求の範囲内である他の変更例はこの開示に基づいて当業者にとって明らかに自明である。実施形態の特定の特徴及び態様の様々な組合せ又は下位組合せが作られることができて、まだ本発明の範囲内になることができることも考えられる。開示された実施形態の様々な特徴及び態様が開示発明の様々なモードを形成するために互いと結合されることができ、又は置き換えることが可能であることを理解すべきである。このように、本願明細書において開示された本発明の範囲が開示されて上記の特定の実施形態により制限されず、特許請求の範囲を公平に読むことにでのみ決定されなければならない。
【符号の説明】
【００７５】
２０・・・基板
８６・・・ディスプレイ素子
８２・・・転向フィルム
８４ａ・・・散乱特徴体
８８ａ・・・クラッド
【図１】
2011508898.tif 000003
【図２】
2011508898.tif 000004
【図３】
2011508898.tif 000005
【図４】
2011508898.tif 000006
【図５Ａ】
2011508898.tif 000007
【図５Ｂ】
2011508898.tif 000008
【図６Ａ】
2011508898.tif 000009
【図６Ｂ】
2011508898.tif 000010
【図７Ａ】
2011508898.tif 000011
【図７Ｂ】
2011508898.tif 000012
【図７Ｃ】
2011508898.tif 000013
【図７Ｄ】
2011508898.tif 000014
【図７Ｅ】
2011508898.tif 000015
【図８】
2011508898.tif 000016
【図９】
2011508898.tif 000017
【図１０】
2011508898.tif 000018
【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
ディスプレイ装置であって、
内部において、光を導波するように構成される基板と、
前記基板で支持されていると共に前記基板の後方にある複数のディスプレイ素子と、
前記基板の前方にあると共に、前記基板内において導波された光を前記複数のディスプレイ素子の方へ向かせるように構成される転向フィルムと、
前記転向フィルムの前方にある複数の散乱特徴体であって前記複数のディスプレイ素子からの前記光を前記ディスプレイ装置の前方のビューアへ散乱させるように構成された複数の散乱特徴体と、
前記転向フィルム及び前記基板内において、光が導波されるように、前記転向フィルムと複数の散乱特徴体との間に配置されたクラッドと、
を備え、
前記転向フィルム及び前記基板内において前記光が導波されるように、前記クラッドが十分に低い屈折率を有する低屈折率材料を含む、ディスプレイ装置。
【請求項２】
前記基板がガラス又はプラスチックを備える、請求項１に記載のディスプレイ装置。
【請求項３】
前記複数のディスプレイ素子が電気機械システム構造を備える、請求項１に記載のディスプレイ装置。
【請求項４】
前記電気機械システム構造が第１反射面及び第２反射面を備え、前記第１反射面及び前記第２反射面のうち少なくとも一方が前記第１反射面及び前記第２反射面のうちの他方に対して移動可能である、請求項３に記載のディスプレイ装置。
【請求項５】
前記複数のディスプレイ素子が干渉変調器を備える、請求項４に記載のディスプレイ装置。
【請求項６】
前記基板と前記ディスプレイ素子との間に光学絶縁層を更に備えることを特徴とする、請求項１に記載のディスプレイ装置。
【請求項７】
前記光学絶縁層が、前記基板より低い屈折率を有する、請求項６に記載のディスプレイ装置。
【請求項８】
前記光学絶縁層が二酸化ケイ素又はフッ素化二酸化ケイ素を備える、請求項６に記載のディスプレイ装置。
【請求項９】
前記転向フィルムがホログラフィック層を備える、請求項１に記載のディスプレイ装置。
【請求項１０】
前記ホログラフィック層がプラスチックキャリア上に配置されている、請求項９に記載のディスプレイ装置。
【請求項１１】
前記転向フィルムがプリズム状のフィルムを備える、請求項１に記載のディスプレイ装置。
【請求項１２】
前記プリズム状のフィルムがプラスチックキャリア上に配置されている、請求項１１に記載のディスプレイ装置。
【請求項１３】
前記転向フィルムが前記基板に直接接しているか又は接着剤で前記基板に直接付着されている請求項１に記載のディスプレイ装置。
【請求項１４】
前記転向フィルムが、プラスチックキャリア上に配置されており、前記プラスチックキャリアが前記基板に直接接しているか又は接着剤で前記基板に直接付着されている、請求項１に記載のディスプレイ装置。
【請求項１５】
前記散乱特徴体が前記クラッドに含まれる、請求項１に記載のディスプレイ装置。
【請求項１６】
前記クラッドが前記散乱特徴体を備える散乱体層と前記転向フィルムとの間に配置されている、請求項１に記載のディスプレイ装置。
【請求項１７】
前記低屈折率材料が、前記転向フィルムより低い屈折率を有する、請求項１に記載のディスプレイ装置。
【請求項１８】
前記低屈折率材料が、前記基板より低い屈折率を有する、請求項１に記載のディスプレイ装置。
【請求項１９】
前記低屈折率材料が、１．４８未満の屈折率を有する、請求項１に記載のディスプレイ装置。
【請求項２０】
前記散乱特徴体が前記低屈折率材料に配置されている拡散微粒子を備える、請求項１に記載のディスプレイ装置。
【請求項２１】
前記低屈折率材料が接着剤を備える、請求項２０に記載のディスプレイ装置。
【請求項２２】
前記散乱特徴体が拡散体層に配置されている、請求項１に記載のディスプレイ装置。
【請求項２３】
前記拡散体層が前記転向フィルムに直接接しているか又は接着剤で前記転向フィルムに直接付着されている、請求項２２に記載のディスプレイ装置。
【請求項２４】
前記転向フィルムがプラスチックキャリア上に配置されており、前記プラスチックキャリアが前記拡散体層に直接接しているか又は接着剤で前記基板に直接付着されている請求項２２に記載のディスプレイ装置。
【請求項２５】
前記転向フィルム及び前記拡散体層が複数のプラスチックキャリア上に配置されており、前記複数のプラスチックキャリアが互いに直接に接しているか又は接着剤で互いに直接付着されている、請求項２２に記載のディスプレイ装置。
【請求項２６】
前記拡散体層がプラスチックキャリア上に配置されており、前記プラスチックキャリアが前記転向フィルムに直接接しているか又は接着剤で前記転向フィルムに直接付着されている、請求項２２に記載のディスプレイ装置。
【請求項２７】
前記拡散体層が、前記ホログラフィック層より低い屈折率を有する、請求項９に記載のディスプレイ装置。
【請求項２８】
前記拡散体層がゲルを備える、請求項１に記載のディスプレイ装置。
【請求項２９】
反射防止コーティングを更に備え、拡散体層の前方の前記反射防止コーティングが前記散乱特徴体を備える、請求項１に記載のディスプレイ装置。
【請求項３０】
少なくとも一つの前記複数のディスプレイ素子と電気的に繋がっていると共に画像データを処理するように構成されているプロセッサと、
前記プロセッサと電気的に繋がっているメモリデバイスと、
を更に備える、請求項１に記載のディスプレイ装置。
【請求項３１】
前記少なくとも一つの前記複数のディスプレイ素子に少なくとも一つの信号を送信するように構成されるドライバ回路を更に備える、請求項３０に記載のディスプレイ装置。
【請求項３２】
前記ドライバ回路に前記画像データの少なくとも一部を送信するように構成されるコントローラを更に備える、請求項３１に記載のディスプレイ装置。
【請求項３３】
前記画像データを前記プロセッサに送信するように構成される画像ソースモジュールを更に備える、請求項３０に記載のディスプレイ装置。
【請求項３４】
前記画像ソースモジュールが、受信機、送受信機及び送信機の少なくとも一つを備える、請求項３３に記載のディスプレイ装置。
【請求項３５】
入力データを受信して、前記プロセッサに前記入力データを通信するように構成される入力装置を更に備える、請求項３０に記載のディスプレイ装置。
【請求項３６】
ディスプレイ装置であって、
画像を表示するための表示手段と、
前記表示手段を支持すると共に、前記表示手段の前方に配置されており、且つ内部において、光を導波するように構成される支持手段と、
前記支持手段内において導波された光を、前記表示手段の方に向かせると共に前記支持手段の前方に位置する転向手段と、
前記転向手段の前方に配置されている光を散乱させる散乱手段であって前記複数のディスプレイ素子からの前記光を前記ディスプレイ装置の前方のビューアへ散乱させるように構成された散乱手段と、
前記転向手段からの光を前記転向手段に再方向付けし、前記光を前記転向手段及び前記支持手段内で導波されるようにすると共に、前記転向手段と前記光散乱手段との間に配置される光の方向を変える光リダイレクト手段と、
を備え、
前記転向手段及び前記支持手段内において前記光が導波されるように、前記光リダイレクト手段が十分に低い屈折率を有する低屈折率材料を含む、ディスプレイ装置。
【請求項３７】
前記表示手段が複数のディスプレイ素子を備える、請求項３６に記載のディスプレイ装置。
【請求項３８】
前記複数のディスプレイ素子が干渉変調器を備える、請求項３７に記載のディスプレイ装置。
【請求項３９】
前記支持手段が基板を備える、請求項３６に記載のディスプレイ装置。
【請求項４０】
前記光散乱手段が散乱特性体を備える、請求項３６に記載のディスプレイ装置。
【請求項４１】
前記転向手段がホログラフィック層又はプリズム状の層を備える、請求項３６に記載のディスプレイ装置。
【請求項４２】
前記光リダイレクト手段がクラッドを備える、請求項３６に記載のディスプレイ装置。
【請求項４３】
ディスプレイ装置の製造方法であって、
後方に複数のディスプレイ素子を有すると共に内部において光を導波するように構成された基板を形成する段階と、
前記基板の前方に転向フィルムを配置させる段階であって、前記転向フィルムが前記基板及び該転向フィルム内において、導波された光を前記複数のディスプレイ素子へ向かせるように構成する段階と、
前記転向フィルムの前方に複数の散乱特徴体を形成する段階であって、前記複数の散乱特徴体が前記複数のディスプレイ素子からの前記光を前記ディスプレイ装置の前方のビューアへ散乱させるように構成される段階と、
光が前記転向フィルムと前記基板とに導波されるように、前記転向フィルムと前記散乱特徴体との間にクラッドを配置する段階と、
を備え、
前記転向フィルム及び前記基板内において前記光が導波されるように、前記クラッドが十分に低い屈折率を有する低屈折率材料を含む、ディスプレイ装置の製造方法。
【国際調査報告】
2011508898.tif 000019
2011508898.tif 000020